(57)【要約】【課題】冷却風に含まれる塵埃による熱交換装置の目詰まりを防止できるとともに、通風抵抗が異なる各熱交換装置に対して適切な冷却風の風量を配分できるようにする。【解決手段】本発明に係る油圧ショベルは、走行体１、旋回体２、作業装置３、エンジン２０、油圧ポンプ２１、冷却ファン２２、並列配置されたオイルクーラ２４及びラジエータ２５などを含む熱交換装置ユニット２３、冷却風中に含まれる塵埃を除去する複数の除去装置３０，３１等を備えており、例えばオイルクーラ２４は通風抵抗の低い低抵抗熱交換装置から成り、ラジエータ２５は通風抵抗の高い高抵抗熱交換装置から成り、ラジエータ２５に対向して設けられた複数の除去装置３１の高抵抗側設置領域２７ｅに対する設置数の割合が、オイルクーラ２４に対向して設けられた複数の除去装置３０の低抵抗側設置領域２７ｄに対する設置数の割合よりも大きく設定されている。【選択図】図３
2018115565.tif 000002
【特許請求の範囲】
【請求項１】
走行体を含む本体と、前記本体に取り付けられた作業装置と、前記本体に設けられたエンジンルームの内部にそれぞれ収容されたエンジン、前記エンジンによって駆動される油圧ポンプ、冷却風を導く冷却ファン、及び冷却風の流れに対して前記冷却ファンの上流側に配置されて、冷却風と熱交換を行う並設配置された複数の熱交換装置から成る熱交換装置ユニットと、冷却風の流れに対して前記熱交換装置ユニットの上流側に対向して配置されて、冷却風を旋回流に変化させ、旋回流中に含まれる塵埃を遠心力によって除去する除去装置とを備えた建設機械において、
前記熱交換装置ユニットは、通風抵抗の低い低抵抗熱交換装置と、通風抵抗の高い高抵抗熱交換装置とを含み、
前記低抵抗熱交換装置の冷却風が導かれる前面側の表面積に相応する設置面積を有し、複数の前記除去装置が設置された低抵抗側設置領域と、
前記高抵抗熱交換装置の冷却風が導かれる前面側の表面積に相応する設置面積を有し、複数の前記除去装置が設置された高抵抗側設置領域とが設定されており、
前記高抵抗側設置領域に対する前記除去装置の設置数の割合は、前記低抵抗側設置領域に対する前記除去装置の設置数の割合よりも大きく設定されていることを特徴とする建設機械。
【請求項２】
請求項１に記載の建設機械において、
前記高抵抗側設置領域に対する前記除去装置の設置数の割合、及び前記低抵抗側設置領域に対する前記除去装置の設置数の割合は、前記冷却ファンと前記熱交換装置ユニットとの間に形成された冷却風の風速が異なる風速域のそれぞれに基づいて設定されていることを特徴とする建設機械。
【請求項３】
請求項１に記載の建設機械において、
冷却風の流れに対して前記熱交換装置ユニットよりも上流側に対向して配置されて、複数の前記除去装置が収納された収納ケースを備えることを特徴とする建設機械。
【請求項４】
請求項３に記載の建設機械において、
前記収納ケースは、下部位置に冷却風から除去された塵埃を落下させる下部開口部を備えることを特徴とする建設機械。
【請求項５】
請求項４に記載の建設機械において、
前記除去装置は、
前記収納ケースの前壁に形成された前側穴部に適合する前側開口部を一端に有し、他端に後側開口部を有している第１筒体と、
前記第１筒体の内部に位置し前記第１筒体の内周面との間に所定隙間を形成する前側開口部を一端に有し、他端に前記収納ケースの後壁に形成された後側穴部に適合する後側開口部を有している第２筒体と、
前記第１筒体の前側開口部の近傍の前記第１筒体内の所定箇所に設けられて、前記除去装置に導かれた冷却風を旋回流に変化させる螺旋状の羽根とを備えることを特徴とする建設機械。
【発明の詳細な説明】
【技術分野】
【０００１】
本発明は、冷却ファンによって外部から導かれる冷却風により冷却される熱交換装置における冷却風の流入側に、冷却風に含まれる塵埃を除去する除去装置を備えた油圧ショベル、ホイールローダなどの建設機械に関する。
【背景技術】
【０００２】
従来の建設機械の一つである油圧ショベルは、走行体及び走行体上に旋回可能に配置された旋回体により本体を構成している。旋回体の前方位置には、上下方向に回動可能な作業装置が取り付けられている。作業装置は、旋回体の前方位置に基端側が枢着されたブーム、そのブームの先端側に枢着されたアーム、及びそのアームの先端側に枢着された作業具であるバケットを含むと共に、ブームを作動させるブームシリンダ、アームを作動させるアームシリンダ、及びバケットを作動させるバケットシリンダなどのアクチュエータを含んで構成されている。旋回体上における後方側位置にはエンジンルームが形成されており、このエンジンルームにはエンジン、エンジンによって駆動される油圧ポンプ、作動油タンク、燃料タンク、ラジエータを含む熱交換装置などが配置されている。油圧ポンプから吐出される圧油は、ブームシリンダ、アームシリンダ、バケットシリンダ、走行体に配置された走行モータ、及び旋回体に配置された旋回モータのそれぞれに供給される。
【０００３】
上述したエンジン及び油圧ポンプを駆動させることにより、エンジン及び作動油の温度が上昇する。この温度が予め設定した温度以上になることを制限するために、エンジンルームにはエンジン冷却水を冷却するラジエータや作動油を冷却するオイルクーラなどからなる熱交換装置が配置されている。また、エンジンの燃焼時における窒素酸化物の低減のためにエンジンの吸気を冷却するインタークーラや、エアコンを冷却するコンデンサなどの熱交換装置が設置されることが多い。なお、近年は熱交換装置に対する清掃性を考慮して、熱交換装置を並列に配置する熱交換装置ユニットを搭載することが主流である。
【０００４】
また、エンジンルーム内には、本体内に外気を吸気する冷却ファンがエンジンの出力軸に接続されて設置されている。この冷却ファンの回転により、外部からエンジンルーム内に取り込んだ冷却風が熱交換装置を通過して冷却される。この冷却ファンの数量と熱交換装置の数は一致せず、一つの冷却ファンで複数の熱交換装置に冷却風を送る場合が殆どである。
【０００５】
一般に油圧ショベルは、土砂の掘削作業で活用されるだけでなく、廃棄物の運搬船内や建屋内での金属スクラップの移動作業など、粉塵が多い環境下で稼働することも多い。船内や建物内で木材チップや石炭のかき寄せ、金属の仕分けや移動を行うに際には、作業現場では細かな種々のものが塵埃となって空中に飛散する。
【０００６】
そのため、エンジン、油圧ポンプ、熱交換装置が収容されたエンジンルーム内に本体外部から取り入れられた冷却風には、塵埃が含まれている。冷却風が熱交換装置を通るときに、冷却風に含まれた塵埃は熱交換装置の外周に付着する。この付着が継続されると、熱交換装置に目詰まりが発生し、熱交換装置の冷却性能が低下することでエンジンがオーバーヒートを起こす。そこで、従来から油圧ショベルのために、熱交換装置に導かれる冷却風に含まれる塵埃を除去するための除去装置が提案されている。
【０００７】
従来の除去装置が特許文献１に開示されている。この特許文献１に開示された従来技術は、熱交換装置の下流側に位置する冷却ファンの回転によって冷却風が本体外部から導かれる熱交換装置の上流側に、冷却風に含まれる塵埃を分離させる除去装置を配置している。この除去装置は、内部に導かれた冷却風を内周方向に変化させて旋回流を生起させ、それによる遠心力によって冷却風に含まれる塵埃を分離・除去し、塵埃を除去した後の冷却風を熱交換装置へ導く。なお、分離・除去された塵埃は、本体内部に配置された回収部に貯留される。このように従来の熱交換装置では、塵埃の堆積による目詰まりを抑制できることから、熱交換装置に付着する塵埃を除去するための作業頻度を低減することができる。
【先行技術文献】
【特許文献】
【０００８】
【特許文献１】特開２０１２−２２５１９７号公報
【発明の概要】
【発明が解決しようとする課題】
【０００９】
特許文献１に開示された従来技術は、熱交換装置の上流側に塵埃の除去装置を備えたことにより、塵埃による熱交換装置の目詰まりと、熱交換装置に付着する塵埃を除去するための清掃回数を少なく改善できる。しかしながら、この除去装置を複数の熱交換装置を並列に配置した熱交換装置ユニットに適用した場合には、以下のような問題が発生する。
【００１０】
一般に、熱交換装置ユニットを構成するラジエータ、オイルクーラ、インタークーラなどの熱交換装置は、それぞれの装置構成の形状違いによって通風抵抗が異なっている。冷却ファンで生起された冷却風は、通風抵抗が低い熱交換装置例えばオイルクーラに流入しやすく、通風抵抗が高い熱交換装置例えばラジエータに流入し難くい。このように複数の熱交換装置を並列に配置した熱交換装置ユニットの場合、各熱交換装置に適切な冷却風の風量を配分することができないという問題があった。このことにより例えば、通風抵抗が高い熱交換装置には十分な冷却風が供給されず、その結果として冷却性能を十分に発揮することができなくなってエンジンがオーバーヒートを起こしてしまう。
【００１１】
上記課題を解決するために、本発明の目的は、冷却風に含まれる塵埃による熱交換装置の目詰まりを防止できるとともに、通風抵抗が異なる各熱交換装置に対して適切な冷却風の風量を配分することができる塵埃の分離・除去が可能な除去装置を、並列配置された複数の熱交換装置から成る熱交換装置ユニットにおける冷却風の流入側（上流側）に備えている建設機械を提供することにある。
【課題を解決するための手段】
【００１２】
上記課題を解決するために、本発明に係る建設機械は、走行体を含む本体と、前記本体に取り付けられた作業装置と、前記本体に設けられたエンジンルームの内部にそれぞれ収容されたエンジン、前記エンジンによって駆動される油圧ポンプ、冷却風を導く冷却ファン、及び冷却風の流れに対して前記冷却ファンの上流側に配置されて、冷却風と熱交換を行う並設配置された複数の熱交換装置から成る熱交換装置ユニットと、冷却風の流れに対して前記熱交換装置ユニットの上流側に対向して配置されて、冷却風を旋回流に変化させ、旋回流中に含まれる塵埃を遠心力によって除去する除去装置とを備えた建設機械において、前記熱交換装置ユニットは、通風抵抗の低い低抵抗熱交換装置と、通風抵抗の高い高抵抗熱交換装置とを含み、前記低抵抗熱交換装置の冷却風が導かれる前面側の表面積に相応する設置面積を有し、複数の前記除去装置が設置された低抵抗側設置領域と、前記高抵抗熱交換装置の冷却風が導かれる前面側の表面積に相応する設置面積を有し、複数の前記除去装置が設置された高抵抗側設置領域とが設定されており、前記高抵抗側設置領域に対する前記除去装置の設置数の割合は、前記低抵抗側設置領域に対する前記除去装置の設置数の割合よりも大きく設定されていることを特徴としている。
【発明の効果】
【００１３】
本発明に係る建設機械によれば、冷却風に含まれる塵埃による熱交換装置の目詰まりを防止できるとともに、通風抵抗が異なる各熱交換装置に対して適切な冷却風の風量を配分することができる。これにより通風抵抗の異なる熱交換装置それぞれの安定した冷却性能を確保でき、エンジンのオーバーヒートを防止できる。
【図面の簡単な説明】
【００１４】
【図１】本発明に係る建設機械の第１実施形態を構成する油圧ショベルを示す側面図である。
【図２】第１実施形態に備えられた旋回体上のエンジンルームを後方から見たときの縦断面図である。
【図３】第１実施形態に備えられた熱交換装置ユニットの外枠を取外した状態における各熱交換装置と、各熱交換装置のそれぞれに対向して配置された複数の除去装置を示す正面図である。
【図４】熱交換装置ユニットに収納ケースが取り付けられた状態を示す正面図である。
【図５】図４において各熱交換装置と除去装置との配置関係を明示した正面図である。
【図６】第１実施形態に備えられた除去装置の構成を示す半断面斜視図である。
【図７】第１実施形態に備えられた除去装置の構成を示す半断面側面図である。
【図８】本発明の第２実施形態の要部を構成する熱交換装置ユニットと、熱交換装置ユニットに対向して配置された複数の除去装置を示す正面図である。
【発明を実施するための形態】
【００１５】
以下、本発明に係る建設機械の実施の形態を図面に基づいて説明する。
【００１６】
図１に示すように、本発明に係る建設機械の第１実施形態は、例えば油圧ショベルである。この油圧ショベルは、走行体１と、この走行体１上に旋回可能に配置された旋回体２と、この旋回体２の前方位置に取り付けられており、土砂の掘削作業などを行う作業装置３とを備えている。走行体１及び旋回体２は本体を構成している。
【００１７】
作業装置３は、旋回体２に基端側が上下方向の回動可能に取り付けられたブーム４と、このブーム４の先端側に上下方向の回動可能に取り付けられたアーム５と、このアーム５の先端側に上下方向の回動可能に取り付けられたバケット６とを含んでいる。また、作業装置３は、ブーム４を駆動するブームシリンダ４ａと、アーム５を駆動するアームシリンダ５ａと、バケット６を駆動するバケットシリンダ６ａとを含んでいる。
【００１８】
旋回体２には、前側位置にオペレータが油圧ショベルの運転を行うための運転室７が設けられており、後側位置に重量バランスを確保するカウンターウエイト８が設けられている。運転室７とカウンターウエイト８の間には、図２に示すエンジン２０が収容されたエンジンルーム９が設けられている。エンジンルーム９は側部を形成する建屋カバー１０と、上部を形成するエンジンカバー１１とによって形成されている。エンジンルーム９の側部を形成する建屋カバー１０には、外気を取り入れる外気取り入れ口１２が設けられている。
【００１９】
図２に示すように、エンジンルーム９内には、熱交換装置ユニット２３を冷却するための冷却風を導く冷却ファン２２が備えられている。冷却ファン２２は、エンジン２０の駆動軸にプーリベルトを介して取り付けられており、エンジン２０の駆動により回転駆動し、熱交換装置ユニット２３と冷却ファン２２との間に負圧を発生させ、これにより外気取り入れ口１２から外気をエンジンルーム９内に取り入れて熱交換装置ユニット２３を冷却する冷却風を生起させている。
【００２０】
熱交換装置ユニット２３は、冷却風の流れに対して冷却ファン２２の上流側で冷却ファン２２に対向するように配置されている。図３に示すように、熱交換装置ユニット２３は並列配置された複数の熱交換装置、例えば作動油を冷却するオイルクーラ２４、エンジン冷却水を冷却するラジエータ２５、及びターボ過給されたエンジン２０の吸気を冷却するインタークーラ２６によって構成されている。ラジエータ２５は中央位置に、オイルクーラ２４及びインタークーラ２６は左右位置にそれぞれ配置されている。
【００２１】
第１実施形態にあっては、例えばオイルクーラ２４は、熱交換装置ユニット２３のうちで最も通風抵抗の低い低抵抗熱交換装置であり、インタークーラ２６は次に通風抵抗の低い熱交換装置であり、ラジエータ２５は熱交換装置ユニット２３のうちで最も通風抵抗が高い高抵抗熱交換装置である。通風抵抗は熱交換装置の形状寸法の大きさや厚さによって、またフィンのピッチや形状、前側に配置される部品等の諸要素によって決定される。
【００２２】
なお、ラジエータ２５が最も通風抵抗が高い高抵抗熱交換装置、オイルクーラ２４が最も通風抵抗が低い低抵抗熱交換装置として説明したが、この通風抵抗の高低順、及び熱交換装置の配列は求められる条件により適宜変更される。
【００２３】
また、エンジンルーム９内には、エンジン２０により駆動される油圧ポンプ２１が設置されている。この油圧ポンプ２１から吐出された作動油、すなわち圧油が例えば図示しない走行モータへ供給されると、走行体１による油圧ショベルの自走が行われる。また、圧油が図示しない旋回モータに供給されると、旋回体２が旋回する。また、圧油が作業装置３のブームシリンダ４ａ、アームシリンダ５ａ、バケットシリンダ６ａに供給されると、ブーム４、アーム５、バケット６がそれぞれ上下方向に回動する。これらの走行体１の走行、旋回体２の旋回、及び作業装置３の回動動作によって掘削作業などの各種の作業を実施できる。
【００２４】
図２，３〜５に示すように、この第１実施形態では、冷却ファン２２によって導かれた冷却風の流れに対して熱交換装置ユニット２３の上流側となる位置に収納ケース２７が配置されている。この収納ケース２７は、直方体に形成され、その長手方向が上下方向になるように旋回体２におけるフレーム９ａ上にあって、熱交換装置ユニット２３の外枠２３ａの一方面側にボルト２３ｂによって取り付けられている。この収納ケース２７には、冷却風を旋回流に変化させ、複数の遠心分離器から成る除去装置３０，３１，３２が収納されており、それらの除去装置３０，３１，３２は、旋回流中に含まれる塵埃を遠心力によって除去する。
【００２５】
除去装置３０は、冷却風の流入側であるオイルクーラ２４の前面側において縦方向及び横方向に等間隔で複数配置され、除去装置３１はラジエータ２５の前面側において縦方向及び横方向に等間隔で複数配置され、除去装置３２はインタークーラ２６の前面側において縦方向及び横方向に等間隔で複数配置されている。これらの除去装置３０，３１，３２は互いに同等の形状寸法に設定されている。
【００２６】
図３に示すように、収納ケース２７は、その中央位置に高抵抗熱交換装置を構成するラジエータ２５の冷却風が導かれる前面側の表面積に相当する設置面積を有し、複数の除去装置３１が設置された高抵抗側設置領域２７ｅを有している。また、収納ケース２７における高抵抗側設置領域２７ｅの左位置には、低抵抗熱交換装置を構成するオイルクーラ２４の冷却風が導かれる前面側の表面積に相応する設置面積を有し、複数の除去装置３０が設置された低抵抗側設置領域２７ｄを有している。さらに、収納ケース２７における高抵抗側設置領域２７ｅの右位置には、インタークーラ２６の冷却風が導かれる前面側の表面積に相応する設置面積を有し、複数の除去装置３２が設置された設置領域２７ｆを有している。
【００２７】
高抵抗側設置領域２７ｅに対する除去装置３１の設置数の割合は、低抵抗側設置領域２７ｄに対する除去装置３０の設置数の割合よりも大きく設定されている。
【００２８】
なお、オイルクーラ２４よりも通風抵抗が高く、ラジエータ２５よりも通風抵抗が低い熱交換装置を構成するインタークーラ２６に対応して設けられた複数の除去装置３２については、除去装置３２の設置領域２７ｆに対する設置数の割合が、除去装置３０の低抵抗側設置領域２７ｄに対する設置数の割合と、除去装置３１の高抵抗側設置領域２７ｅに対する設置数の割合の間に設定されている。
【００２９】
図２に示すように、収納ケース２７には、下部位置に冷却風から除去された塵埃を落下させる下部開口部２７ｃが形成されている。収納ケース２７は、並列配置されたオイルクーラ２４、ラジエータ２５、及びインタークーラ２６を含む熱交換装置ユニット２３の全表面に対応する形状寸法に設定されている。
【００３０】
除去装置３０，３１，３２の構成について、除去装置３０を例に挙げて説明する。
【００３１】
図６，７に示すように、除去装置３０は、例えば合成樹脂によって作製されており、収納ケース２７の前壁２７ａに形成された前側穴部２７ａ１に適合する前側開口部３０ａ１を一端に有し、他端に後側開口部３０ａ２を有し、内部に前側開口部３０ａ１及び後側開口部３０ａ２に連通した空洞部３０ａ３を有する円筒形状の第１筒体３０ａを備えている。第１筒体３０ａの前側開口部３０ａ１の部分は、加熱による変形によって収納ケース２７の前側穴部２７ａ１に隙間を生じさせずに固着されている。
【００３２】
また、除去装置３０は、第１筒体３０ａの内部の空洞部３０ａ３に位置し、一端側に第１筒体３０ａの内周面との間に塵埃の排出を可能にさせる所定隙間３３を形成する前側開口部３０ｂ１を有し、他端側に収納ケース２７の後壁２７ｂに形成された後側穴部２７ｂ１に適合する後側開口部３０ｂ２を有し、内部に前側開口部３０ｂ１及び後側開口部３０ｂ２に連通した空洞部３０ｂ３を有する第２筒体３０ｂを備えている。この第２筒体３０ｂは、三角錐の頭部を切断した形状に形成されており、前側開口部３０ｂ１の径寸法は、後側開口部３０ｂ２の径寸法よりも小さく設定されている。また、所定隙間３３を設けるために、第１筒体３０ａの後側開口部３０ａ２の径寸法に比べて、第２筒体３０ｂの前側開口部３０ｂ１の径寸法が小さく設定されている。第２筒体３０ｂの後側開口部３０ｂ２の部分は、加熱による変形によって収納ケース２７の後側穴部２７ｂ１に隙間を生じさせずに固着されている。第２筒体３０ｂの前側開口部３０ｂ１の外周面部分には、第２筒体３０ｂを補強する環状の補強部４３を設けてある。
【００３３】
また、除去装置３０は、第１筒体３０ａの前側開口部３０ａ１の近傍に位置する第１筒体３０ａ内の所定箇所に設けられて、除去装置３０に導かれた冷却風を旋回流に変化させ空洞部３０ａ３の内周面に吹き付ける螺旋状の羽根４０を備えている。羽根４０は第１筒体３０ａの内周面に固着されている。また、羽根４０を支持する軸部４１と、この軸部４１を第１筒体３０ａの内周面に対して固定する支持部４２とを備えている。
【００３４】
このように構成した第１実施形態では、エンジン２０の駆動に伴って冷却ファン２２が回転駆動すると、冷却風がエンジンルーム９の外気取り入れ口１２からエンジンルーム９内に導かれる。その冷却風が図３に示す複数の除去装置３０，３１，３２に流入する。除去装置３０に流入した冷却風はオイルクーラ２４に導かれ、このオイルクーラ２４を通過する際の熱交換により油圧ポンプ２１から吐出される圧油が冷却される。また、除去装置３１に流入した冷却風はラジエータ２５に導かれ、このラジエータ２５を通過する際の熱交換によりエンジン冷却水が冷却される。また、除去装置３２に流入した冷却風はインタークーラ２６に導かれ、このインタークーラ２６を通過する際の熱交換によりエンジン２０の吸気が冷却される。
【００３５】
同様に、除去装置３０に導かれる冷却風は、図６，７に示す第１筒体３０ａの前側開口部３０ａ１から流入し、羽根４０によって旋回流に変化して空洞部３０ａ３に導かれ、冷却風に含まれた塵埃は遠心力によって第１筒体３０ａの内周面に向って吹き付けられる。これによって冷却風に含まれていた塵埃が遠心力により分離・除去される。塵埃の除かれた清浄な冷却風は第２筒体３０ｂの前側開口部３０ｂ１から空洞部３０ｂ３を経て後側開口部３０ｂ２から流出し、オイルクーラ２４に導かれる。また、第１筒体３０ａの内周面に向って吹き付けられ冷却風から分離・除去された塵埃は、第１筒体３０ａの内周面と第２筒体３０ｂの外周面との間に形成された所定隙間３３から除去装置３０の外部に位置する収納ケース２７の内部に向って排出される。このように収納ケース２７の内部に排出された塵埃は落下し、収納ケース２７の下部開口部２７ｃから収納ケース２７の下方に向って排出される。除去装置３１，３２においても同様の塵埃除去処理が行われる。
【００３６】
なお、油圧ショベルにあっては、作業中はもちろんのこと、作業待機中であってもエンジンキーがＯＦＦに操作されない限りエンジン２０の稼動状態が維持される。これに伴い冷却ファン２２も回転駆動が継続され、作業の間、及び作業待機の間、冷却風がエンジンルーム９の外気取り入れ口１２からエンジンルーム９の内部に導かれる。したがって、塵埃を除去する除去装置３０，３１，３２において、作業の間、及び作業待機の間、冷却風に含まれた塵埃の除去が継続的に実施される。
【００３７】
このように構成した第１実施形態によれば、除去装置３０，３１，３２によって冷却風に含まれる塵埃によるオイルクーラ２４、ラジエータ２５、及びインタークーラ２６の目詰まりを防止できるとともに、通風抵抗が異なるオイルクーラ２４、ラジエータ２５、及びインタークーラ２６に対して適切な冷却風の風量を配分することができる。これにより、オイルクーラ２４、ラジエータ２５、及びインタークーラ２６それぞれの安定した冷却性能を確保でき、エンジン２０のオーバーヒートを防止できる。
【００３８】
図８は、本発明の第２実施形態の要部を構成する熱交換装置ユニットと、熱交換装置ユニットに対向して配置された複数の除去装置を示す正面図である。
【００３９】
この第２実施形態は、第１実施形態における除去装置３０，３１，３２の低抵抗側設置領域２７ｄ、高抵抗側設置領域２７ｅ、設置領域２７ｆに対する設置数の割合の考え方に加えて、除去装置３０，３１，３２の低抵抗側設置領域２７ｄ、高抵抗側設置領域２７ｅ、及び設置領域２７ｆに対する設置数の割合が、冷却ファン２２と熱交換装置ユニット２３との間に形成された冷却風の風速が異なる風速域のそれぞれに基づいて設定されている。
【００４０】
冷却ファン２２と熱交換装置ユニット２３との間における冷却ファン２２によって導かれた冷却風の風速域については、例えば高風速域５０と低風速域５１に分けることができる。高風速域５０は冷却ファン２２の羽根に対向する領域であり、低風速域５１は、冷却ファン２２の中心部分に対向する領域及び羽根の外側に対向する領域である。
【００４１】
この第２実施形態は、低風速域５１に対向するオイルクーラ２４、ラジエータ２５、及びインタークーラ２６の部分に対向して設けられた除去装置３０，３１，３２の低抵抗側設置領域２７ｄ、高抵抗側設置領域２７ｅ、及び設置領域２７ｆのそれぞれに対する設置数の割合が、高風速域５０に対向するオイルクーラ２４、ラジエータ２５、及びインタークーラ２６の部分に対応して設けられた除去装置３０，３１，３２の低抵抗側設置領域２７ｄ、高抵抗側設置領域２７ｅ、及び設置領域２７ｆのそれぞれに対する設置数の割合よりも大きく設定されている。
【００４２】
例えば、オイルクーラ２４に対向する低抵抗側設置領域２７ｄの一部の設置領域中、高風速域５０に対応する冷却ファン２２の羽根に対向する設置領域２７ｄ１，２７ｄ２においては５本の除去装置３０を設けてあり、設置領域２７ｄ１，２７ｄ２と同じ面積を有する低風速域５１に対応する冷却ファン２２の羽根の外側に対向する部分が含まれる設置領域２７ｄ３においては、６本の除去装置３０を設けてある。また、同図８に示すように、ラジエータ２５に対向する高抵抗側設置領域２７ｅにおいては、低風速域５１に対応する冷却ファン２２の中心部に対向する設置領域の除去装置３１の本数を、高風速域５０に対応する冷却ファン２２の羽根に対向する設置領域の除去装置３１の本数よりも多く設けてある。また、インタークーラ２６に対向する設置領域２７ｆの一部の設置領域中、高風速域５０に対応する冷却ファン２２の羽根に対向する設置領域２７ｆ１においては５本の除去装置３２を設けてあり、設置領域２７ｆ１と同じ面積を有する低風速域５１に対応する冷却ファン２２の羽根の外側に対向する部分が含まれる設置領域２７ｆ２においては、６本の除去装置３２を設けてある。その他の構成は第１実施形態と同等である。
【００４３】
このように構成された第２の実施形態によれば、第１実施形態におけるのと同様の作用効果が得られる他、冷却ファン２２と熱交換装置ユニット２３との間に生じる冷却風の高風速域５０と低風速域５１をも考慮されてオイルクーラ２４、ラジエータ２５、及びインタークーラ２６に対向して除去装置３０，３１，３２が配置されているので、通風抵抗が異なるオイルクーラ２４、ラジエータ２５、及びインタークーラ２６に対してより高い精度で冷却風の風量の配分を行うことができる。
【００４４】
なお、第１、第２実施形態にあっては、除去装置３０，３１，３２が合成樹脂から成っているが、これらの除去装置３０，３１，３２を鉄材等の金属によって構成して、それらをボルトとナットで収納ケース２７の前壁２７ａ及び後壁２７ｂに固定するようにしてもよい。
【００４５】
また、収納ケース２７は、直方体形状によって構成してあるが、正面から見たときにホームベースを形成するような形状に構成してもよい。
【００４６】
また、エンジン２０に直結した１つの冷却ファン２２を備えているが、エンジン２０によって駆動される冷却ファン２２に代えて、電動駆動ファンや油圧駆動ファンから成る冷却ファンを備えた構成にしてもよい。また、冷却ファン２２は一つ設けることには限定されず、二つ以上設けてもよい。
【００４７】
また、第２実施形態では、冷却ファン２２と熱交換装置ユニット２３との間の風速域を高風速域５０と低風速域５１とに分けてあるが、冷却ファン２２と熱交換装置ユニット２３との間の風速域を、高風速域、中風速域、及び低風速域の３つの風速域に分けて、それぞれの風速域に基づいて除去装置の設置領域に対する設置数の異なる割合を設定してもよい。
【００４８】
また、前述した第１，第２実施形態では、建設機械として油圧ショベルを挙げたが、建設機械がホイールローダによって構成されていてもよい。
【符号の説明】
【００４９】
１    走行体（本体）
２    旋回体（本体）
３    作業装置
９    エンジンルーム
９ａ  フレーム
１２    外気取り入れ口
２０    エンジン
２１    油圧ポンプ
２２    冷却ファン
２３    熱交換装置ユニット
２３ａ  外枠
２３ｂ  ボルト
２４    オイルクーラ（熱交換装置）〔低抵抗熱交換装置〕
２５    ラジエータ（熱交換装置）〔高抵抗熱交換装置〕
２６    インタークーラ（熱交換装置）
２７    収納ケース
２７ａ  前壁
２７ａ１  前側穴部
２７ｂ  後壁
２７ｂ１  後側穴部
２７ｃ  下部開口部
２７ｄ  低抵抗側設置領域
２７ｅ  高抵抗側設置領域
２７ｆ  設置領域
３０    除去装置
３０ａ  第１筒体
３０ａ１  前側開口部
３０ａ２  後側開口部
３０ａ３  空洞部
３０ｂ  第２筒体
３０ｂ１  前側開口部
３０ｂ２  後側開口部
３０ｂ３  空洞部
３１    除去装置
３２    除去装置
３３    所定隙間
４０    羽根
５０    高風速域
５１    低風速域
【図１】
2018115565.tif 000003
【図２】
2018115565.tif 000004
【図３】
2018115565.tif 000005
【図４】
2018115565.tif 000006
【図５】
2018115565.tif 000007
【図６】
2018115565.tif 000008
【図７】
2018115565.tif 000009
【図８】
2018115565.tif 000010